(57)【要約】      （修正有）【課題】足場構築体において足場床に開設された昇降開口部の非昇降部を閉塞するための閉塞部材を提供する。【解決手段】足場床のうち一方の支柱に臨んで足場板を欠如させることにより昇降開口部を形成し、昇降開口部の桁方向の両端部に昇降部と非昇降部を構成し、昇降開口部の桁方向に沿って手摺体の桁材を設け、非昇降部を閉塞部材７により閉塞するように構成した足場構築体において、閉塞部材７は、本体の表裏両面に床面９ａを形成し、非昇降部に臨む横架材に搭載係止されるフック金具１０と、手摺体の桁材に搭載される係止金具１１を備え、少なくともフック金具１０を上向き姿勢と下向き姿勢の間で姿勢変更可能とする姿勢変更手段１２を設けている。【選択図】図４
2015140604.tif 000002
【特許請求の範囲】
【請求項１】
足場板(1)の妻方向と桁方向に関して、妻方向に横架材(2)で連結された一対の支柱(3a)(3b)を１組として、１組の支柱を桁方向に所定間隔をあけて配設すると共に、妻方向に並設される複数の足場板を前記横架材に架設することにより桁方向に延びる足場床を形成すると共に、前記足場床のうち一方の支柱(3a)に臨んで足場板を欠如させることにより昇降開口部(4)を形成し、前記昇降開口部の桁方向の両端部に昇降部(4a)と非昇降部(4b)を構成し、該昇降開口部(4)の桁方向に沿って手摺体(6)の桁材(6a)を設け、前記非昇降部(4b)を閉塞部材(7)により閉塞するように構成した足場構築体において、
前記閉塞部材(7)は、本体(8)の表裏両面に床面(9a)(9b)を形成し、前記非昇降部(4b)に臨む横架材(2)に搭載係止されるフック金具(10)と、前記手摺体(6)の桁材(6a)に搭載される係止金具(11)を備え、
少なくとも前記フック金具(10)を上向き姿勢と下向き姿勢の間で姿勢変更可能とする姿勢変更手段(12)を設けており、
前記非昇降部(4b)が昇降開口部(4)の一端側に構成される場合と他端側に構成される場合の何れにおいても、前記閉塞部材(7)の表裏を反転させた状態で、フック金具(10)を横架材(2)に搭載係止すると共に、係止金具(11)を手摺体(6)の桁材(6a)に搭載可能とするように構成して成ることを特徴とする足場構築体における昇降開口部の閉塞部材。
【請求項２】
前記姿勢変更手段(12)は、前記本体(8)から前記横架材(2)に交差する方向に突設された支軸(12a)と、前記フック金具(10)に設けたブラケット(12b)により構成され、前記ブラケット(12b)を支軸(12a)に回動自在に挿着して成ることを特徴とする請求項１に記載の足場構築体における昇降開口部の閉塞部材。
【請求項３】
前記閉塞部材(7)は、昇降開口部(4)の非昇降部(4b)を閉塞した状態で、前記本体(8)と横架材(2)の間の隙間を閉塞する張出部(13a)(13b)を該閉塞部材(7)の表裏両面に設けて成ることを特徴とする請求項１又は２に記載の足場構築体における昇降開口部の閉塞部材。
【請求項４】
前記閉塞部材(7)は、昇降開口部(4)の非昇降部(4b)を閉塞した状態で、前記昇降開口部(4)に臨む側縁に位置して起立する感知壁(18a)(18b)を該閉塞部材(7)の表裏両面に設けて成ることを特徴とする請求項１、２又は３に記載の足場構築体における昇降開口部の閉塞部材。
【請求項５】
前記閉塞部材(7)は、前記係止金具(11)に対して前記本体(8)を上下移動可能かつ移動状態で固定可能とする上下位置変更手段(17)を設けて成ることを特徴とする請求項１、２、３又は４に記載の足場構築体における昇降開口部の閉塞部材。
【発明の詳細な説明】
【技術分野】
【０００１】
本発明は、足場構築体において足場床に開設された昇降開口部の非昇降部を閉塞するための閉塞部材に関する。
【背景技術】
【０００２】
建築現場や建設現場等に構築される仮設足場は、支柱を連結する横架材に足場板を搭載することにより足場床を提供する。この際、上下階の足場床の間での往来を可能にするため、上階の足場板を欠如させることにより昇降開口部を形成し、該昇降開口部の桁方向の両端部に位置する昇降部と非昇降部のうち、昇降部に仮設階段の上端部を連結することが行われており、昇降開口部の桁側に手摺体を設け、安全を図っている。
【０００３】
ところで、前記手摺体は、前記非昇降部の上方で斜めに横断する方向に延びる補助手摺を配置し、該補助手摺の先端部を非昇降部に臨む支柱に固定することにより、起立姿勢を保持するように構成されている。従って、該補助手摺の下方で非昇降部が開口状態とされており、作業者が足を踏み外す危険がある。
【０００４】
そこで、前記非昇降部を閉塞する閉塞部材が提供されている。
【先行技術文献】
【特許文献】
【０００５】
【特許文献１】特開２００２−３０８０５号公報
【発明の概要】
【発明が解決しようとする課題】
【０００６】
特許文献１により提案された閉塞部材は、前記補助手摺の下方に位置する非昇降部の開口部分を閉塞するように概ね直角三角形状に形成され、前記非昇降部に臨む横架材に搭載係止されるフック金具と、前記手摺体の桁材に搭載される係止金具を備えている。
【０００７】
しかしながら、足場構築体は、昇降開口部の桁方向の両端部に関して、一方の端部を昇降開口部として仮設階段を設ける場合と、反対に、他方の端部を昇降開口部として仮設階段を設ける場合があり、いわゆる右勝手と左勝手の両方が存在する。従って、このような階段の右勝手と左勝手に対応して、非昇降部も左右位置を異にすることになるから、特許文献１の場合、右勝手用と左勝手用の２種類の閉塞部材を提供しなければならないという問題がある。
【０００８】
本発明は、上記問題点を解決し、右勝手と左勝手の何れの場合でも自在に対応可能であり常に非昇降部に好適に取付可能な閉塞部材を提供することを課題としている。
【課題を解決するための手段】
【０００９】
そこで、本発明が手段として構成したところは、足場板の妻方向と桁方向に関して、妻方向に横架材で連結された一対の支柱を１組として、１組の支柱を桁方向に所定間隔をあけて配設すると共に、妻方向に並設される複数の足場板を前記横架材に架設することにより桁方向に延びる足場床を形成すると共に、前記足場床のうち一方の支柱に臨んで足場板を欠如させることにより昇降開口部を形成し、前記昇降開口部の桁方向の両端部に昇降部と非昇降部を構成し、該昇降開口部の桁方向に沿って手摺体の桁材を設け、前記非昇降部を閉塞部材により閉塞するように構成した足場構築体において、前記閉塞部材は、本体の表裏両面に床面を形成し、前記非昇降部に臨む横架材に搭載係止されるフック金具と、前記手摺体の桁材に搭載される係止金具を備え、少なくとも前記フック金具を上向き姿勢と下向き姿勢の間で姿勢変更可能とする姿勢変更手段を設けており、前記非昇降部が昇降開口部の一端側に構成される場合と他端側に構成される場合の何れにおいても、前記閉塞部材の表裏を反転させた状態で、フック金具を横架材に搭載係止すると共に、係止金具を手摺体の桁材に搭載可能とするように構成して成る点にある。
【００１０】
前記姿勢変更手段は、前記本体から前記横架材に交差する方向に突設された支軸と、前記フック金具に設けたブラケットにより構成され、前記ブラケットを支軸に回動自在に挿着することが好ましい。
【００１１】
前記閉塞部材は、昇降開口部の非昇降部を閉塞した状態で、前記本体と横架材の間の隙間を閉塞する張出部を該閉塞部材の表裏両面に設けていることが好ましい。
【００１２】
前記閉塞部材は、昇降開口部の非昇降部を閉塞した状態で、前記昇降開口部に臨む側縁に位置して起立する感知壁を該閉塞部材の表裏両面に設けていることが好ましい。
【００１３】
前記閉塞部材は、前記係止金具に対して前記本体を上下移動可能かつ移動状態で固定可能とする上下位置変更手段を設けて成ることを特徴とする請求項１、２、３又は４に記載の足場構築体における昇降開口部の閉塞部材。
【発明の効果】
【００１４】
本発明によれば、昇降開口部４が階段を右勝手とする場合と左勝手とする場合の何れにおいても、左右の位置を異にする非昇降部４ａに対して閉塞部材７を自在に対応させて取付けることが可能になるという効果がある。
【図面の簡単な説明】
【００１５】
【図１】本発明の閉塞部材が取付けられる足場構築体を示し、左勝手の仮設階段を設けた昇降開口部を示す斜視図である。
【図２】本発明の閉塞部材が取付けられる足場構築体を示し、右勝手の仮設階段を設けた昇降開口部を示す斜視図である。
【図３】本発明の第１実施形態に係る閉塞部材の各構成部材を分解状態で示す斜視図である。
【図４】第１実施形態に係る閉塞部材の作用を示しており、（Ａ）及び（Ｂ）は相互にフック金具と係止金具を反転した状態を示す斜視図である。
【図５】第１実施形態に係る閉塞部材の取付状態を示しており、（Ａ）は左勝手の仮設階段を設けた昇降開口部の非昇降部に閉塞部材を取付けた状態を示す平面図、（Ｂ）は右勝手の仮設階段を設けた昇降開口部の非昇降部に閉塞部材を取付けた状態を示す平面図である。
【図６】図５のＡ−Ａ線断面図である。
【図７】本発明の第２実施形態に係る閉塞部材の各構成部材を分解状態で示す斜視図である。
【図８】第２実施形態に係る閉塞部材を示す斜視図である。
【図９】第２実施形態に係る閉塞部材の取付状態を示しており、感知壁と上下移動変更手段を示す断面図である。
【発明を実施するための形態】
【００１６】
以下図面に基づいて本発明の好ましい実施形態を詳述する。
【００１７】
図１及び図２は、仮設された足場構築体に関して、本発明の閉塞部材が取付けられる昇降開口部を示している。
【００１８】
足場構築体は、足場板１の妻方向（図示のＸ方向）と桁方向（図示のＹ方向）に関して、妻方向Ｘに横架材２で連結された一対の支柱３ａ、３ｂを１組として、１組の支柱を桁方向Ｙに所定間隔をあけて配設すると共に、図示省略する連結材で連結することにより構築され、隣り合う横架材２、２に任意の複数枚の足場板１を妻方向Ｘに並設した状態で架設することにより、桁方向Ｙに延びる足場床が形成されている。尚、足場構築体は、軸組み式であっても枠組み式であっても良く、その型式や、各部の連結構造等は、任意であり、何ら限定されない。
【００１９】
足場板１の架設に際し、足場床のうち一方の支柱３ａに臨んで足場板を欠如させることにより、昇降開口部４が開設されている。図例の場合、昇降開口部４は、足場構築体の外部空間に臨む個所に形成され、従って、昇降開口部４の三方に配置された足場板１により囲まれており、桁方向Ｙの両端部に配置された横架材２、２に臨んで昇降部４ａと非昇降部４ｂが形成されている。
【００２０】
昇降開口部４は、作業者が上下階の足場床を往来する便宜のために形成され、該昇降開口部４の下側には下階の足場床に連絡される仮設の階段５が設置される。
【００２１】
図１の場合、図示の方向に関して、昇降開口部４の左側の端部を昇降部４ａ、右側の端部を非昇降部４ｂとして、昇降部４ａに臨む横架材２に階段５の上端部に設けたフックを係止しており、下階から上階に向けて左上がりの階段が設けられている（以下「左勝手」と称する）。
【００２２】
反対に、図２の場合、図示の方向に関して、昇降開口部４の右側の端部を昇降部４ａ、左側の端部を非昇降部４ｂとして、昇降部４ａに臨む横架材２に階段５の上端部に設けたフックを係止しており、下階から上階に向けて右上がりの階段が設けられている（以下「右勝手」と称する）。
【００２３】
左勝手と右勝手の何れの場合も、昇降開口部４の桁側の開口縁には、開口ガードとしての手摺体６が設置される。手摺体６は、前記開口縁に沿って桁方向Ｙに延びる桁材６ａの両端に設けたフックをそれぞれ横架材２、２に係止すると共に、上方位置で前記非昇降部４ｂを斜めに横断する方向に延びる補助手摺６ｂを配置し、該補助手摺６ｂの先端部に設けた係止金具を非昇降部４ｂに臨む支柱３ａに固定することにより、所定の起立姿勢を保持している。
【００２４】
手摺体６は、図１に示す左勝手の階段５を設置した昇降開口部４の場合と、図２に示す右勝手の階段５を設置した昇降開口部４の場合の何れにも対応可能であり、相互に左右反転させた姿勢で取付けられる。従って、左右勝手を異にする何れの場合も、非昇降部４ｂは補助手摺６ｂによりガードされ、作業者の落下を防止するが、補助手摺６ｂの下方で非昇降部４ｂが開口状態にされていると、作業者が足を踏み外す危険があるので、閉塞部材７により閉塞される。
【００２５】
（第１実施形態）
図３ないし図６は、閉塞部材７の第１実施形態を示している。閉塞部材７は、フレーム状の本体８の表裏両面に床材９ａ、９ｂを設けることにより床面を形成し、前記非昇降部４ｂに臨む横架材２に上側から搭載係止される複数のフック金具１０と、前記手摺体６の桁材６ａに搭載される係止金具１１を設けている。
【００２６】
図例の場合、本体８は、少なくとも、前記横架材２に平行状態で臨む妻側フレーム８ａと、前記桁材６ａに平行状態で臨む桁側フレーム８ｂと、前記補助手摺６ｂと平行状態で妻側フレーム８ａと桁側フレーム８ｂを連結する斜交フレーム８ｃにより、概ね直角三角形状の剛体フレームを形成している。
【００２７】
前記フック金具１０は、前記横架材２を上側から掴持する鉤形のフック１０ａと該フックの下方に向けて進退可能なロック片１０ｂを備え、前記妻側フレーム８ａに対して、上向き姿勢と下向き姿勢の間で姿勢変更可能となるように、フック金具用姿勢変更手段１２を介して取付けられている。
【００２８】
前記フック金具用姿勢変更手段１２は、前記妻側フレーム８ａの両端部から前記横架材２に直交する軸線Ａ１に沿って突出するボルト等の支軸１２ａと、前記フック金具１０の基端部に固設されたコ字形のブラケット１２ｂにより構成され、ブラケット１２ｂの挿通孔１２ｃに支軸１２ａを挿着することにより回動自在に軸支している。尚、前記支軸１２ａは、妻側フレーム８ａに溶接等で固着されていることが好ましい。これにより、フック金具１０は、上下反転可能に構成されている。この際、図示実施形態の場合、支軸１２ａを構成するボルトにナット１２ｄが螺着されており、ブラケット１２ｂを支軸１２ａから抜止め状態となるように固定している。
【００２９】
前記本体８は、左右両端部に取付けられる一対のフック金具１０の間に位置して、妻側フレーム８ａの表裏両面から外側に向けて張り出す張出部１３ａ、１３ｂを設けることが好ましく、図例の場合、断面Ｌ形とした一対の金属板を妻側フレーム８ａの側面に溶接等で固着することにより、表裏面の張出部１３ａ、１３ｂを形成している。
【００３０】
前記係止金具１１は、金属板を折曲することにより、前記桁材６ａに被冠される下向きコ字形の搭載部１１ａと、該搭載部１１ａの下向き折曲片の先端から煽り止め部１１ｂを延設し、前記桁側フレーム８ｂに対して、上下反転可能かつ反転状態で固定可能となるように、係止金具用姿勢変更手段１４を介して取付けられている。
【００３１】
前記係止金具用姿勢変更手段１４は、前記桁側フレーム８ｂから前記桁材６ａに直交する軸線Ａ２に沿って突出するボルト等の支軸１４ａと、前記係止金具１１の搭載部１１ａの基端部に設けた挿通孔１４ｂにより構成され、前記支軸１４ａを挿通孔１４ｂに挿着することにより回動自在に軸支している。尚、前記支軸１４ａは、桁側フレーム８ｂに溶接等で固着されていることが好ましい。これにより、係止金具１１は、上下反転可能に構成され、上向き姿勢と下向き姿勢の間で姿勢変更可能とされている。この際、図示実施形態の場合、支軸１４ａを構成するボルトにナット１４ｃが螺着されており、係止金具１１を支軸１４ａから抜止め状態となるように固定している。
【００３２】
前記床材９ａ、９ｂは、金属板から成る縞板やパンチングメタル又は金網等、表面に滑り止め手段を備えた保形性のあるシート状部材により形成することが好ましく、本体８の表裏両面に溶接等で固着される。
【００３３】
上記のように構成した閉塞部材７によれば、図４に示すように、フック金具１０、１０と係止金具１１は、それぞれ軸線Ａ１及びＡ２の廻りに回動自在であり、従って、上下反転可能かつ反転状態で固定可能とされている。即ち、フック金具１０、１０は、支軸１２ａの軸廻りに回動することにより上下反転可能であり、姿勢変更の後、ナット１２ｄにより抜止め状態に固定されている。この際、ナット１２ｄを締結することにより反転不能に固定しても良く、ブラケット１２ｂをコ字形に形成しているので、スパナ等の工具をナット１２ｄに向けて容易に挿入することができる。
【００３４】
同様に、係止金具１１は、支軸１４ａの軸廻りに回動することにより上下反転可能であり、姿勢変更の後、ナット１４ｃにより抜止め状態に固定されている。この際、ナット１４ｃを締結することにより反転不能に固定しても良く、係止金具１１の搭載部１１ａをコ字形に形成しているので、スパナ等の工具をナット１４ｃに向けて容易に挿入することができる。
【００３５】
従って、図１に示す左勝手の階段５を設置した昇降開口部４の非昇降部４ｂを閉塞部材７により閉塞する場合は、図５（Ａ）に示すように、図示の右側に臨む横架材２（図示符号２ａ）に対して上側から搭載係止されるようにフック金具１０、１０の姿勢を整えると共に、桁材６ａに対して上側から搭載されるように係止金具１１の姿勢を整えた状態で固定し、それぞれ横架材２ａ及び桁材６ａに搭載係止すれば良く、これにより、非昇降部４ｂが閉塞部材７で閉塞され、床材９ｂにより踏面を形成する。そして、妻側フレーム８ａと横架材２ａの間の隙間は、全域ではないが、張出部１３ｂにより好適に閉塞される。
【００３６】
反対に、図２に示す右勝手の階段５を設置した昇降開口部４の非昇降部４ｂを閉塞部材７により閉塞する場合は、図５（Ｂ）に示すように、図示の左側に臨む横架材２（図示符号２ｂ）に対して上側から搭載係止されるようにフック金具１０、１０の姿勢を整えると共に、桁材６ａに対して上側から搭載されるように係止金具１１の姿勢を整えた状態で固定し、それぞれ横架材２ａ及び桁材６ａに搭載係止すれば良く、これにより、非昇降部４ｂが閉塞部材７で閉塞され、床材９ａにより踏面を形成することができる。この場合も、妻側フレーム８ａと横架材２ａの間の隙間は、全域ではないが、張出部１３ａにより好適に閉塞される。
【００３７】
何れの場合も、フック金具１０、１０は、フック１０ａが横架材２を上側から掴持すると共に、ロック片１０ｂが横架材２の下側に係止する。係止金具１１は、図６に示すように、搭載部１１ａが桁６ａに搭載されると共に、煽り止め部１１ｂを足場板１の下側に進入させ、浮上不能な状態で係止する。
【００３８】
（第２実施形態）
図７ないし図９は、閉塞部材７の第２実施形態を示している。閉塞部材７は、フレーム状の本体８の表裏両面に床材９ａ、９ｂを設け、前記非昇降部４ｂに臨む横架材２に上側から搭載係止される複数のフック金具１０と、前記手摺体６の桁材６ａを横方向から掴持する状態で搭載される係止金具１１を設けている。本体８、フック金具１０、フック金具用姿勢変更手段１２に関する構成は、上述の第１実施形態と同様であるので、同一符号を示している。従って、第１実施形態と共通する構成は上述の説明を援用することにより詳述を省略し、以下に第１実施形態と相違する構成を説明する。
【００３９】
係止金具１１は、金属板を折曲することにより、桁材６ａを横方向から掴持可能とするように、桁材６ａに向けて開口するコ字形に形成され、平板部１１ｃから折曲された上下片１１ｄ、１１ｄにそれぞれ孔を貫設すると共に該孔に臨むナット１５を溶接等で固着しており、該ナット１５を螺挿されるボルト１６を上下片１１ｄ、１１ｄの内側に進退自在に突出させている。
【００４０】
このため、係止金具１１は、閉塞部材７の表裏面を反転した姿勢においても、桁材６ａを横方向から掴持することができるので、第１実施形態について説明した係止金具用姿勢変更手段１４を設ける必要がない。従って、本発明の係止金具用姿勢変更手段１４は、発明の必須要件ではないことを理解されたい。
【００４１】
第２実施形態において、係止金具１１は、本体８の桁側フレーム８ｂに対して、上下位置変更手段１７を介して取付けることが好ましい。
【００４２】
上下位置変更手段１７は、前記桁側フレーム８ｂから前記桁材６ａに直交する軸線Ａ２に沿って突出するボルト１７ａと、前記係止金具１１の平板部１１ｃに設けた上下方向に延びる長孔１７ｂと、前記ボルト１７ａを長孔１７ｂに挿通させた状態で固定するナット１７ｃにより構成されている。尚、前記ボルト１７ａは、桁側フレーム８ｂに溶接等で固着されていることが好ましい。
【００４３】
床材９ａ、９ｂは、それぞれ、桁側フレーム８ｂから張り出す張出部１３ａ、１３ｂと、斜交フレーム８ｃの表裏面から起立する感知壁１８ａ、１８ｂを備えている。
【００４４】
上記のように構成した閉塞部材７によれば、図８に示すように、フック金具１０、１０は、フック金具用姿勢変更手段１２を設けているので、軸線Ａ１の廻りに回動自在であり、従って、上下反転可能かつ反転状態で固定可能とされている。この点は、上記第１実施形態と同様である。
【００４５】
そこで、図１に示す左勝手の階段５を設置した昇降開口部４の非昇降部４ｂを閉塞部材７により閉塞する場合は、図示の右側に臨む横架材２（図示符号２ａ）に対して上側から搭載係止されるようにフック金具１０、１０の姿勢を整えた状態でナット１２ｄにより固定し、横架材２ａに搭載係止すれば良い。この際、係止金具１１は、図９に示すように、桁材６ａを横方向から掴持した状態で係止させられる。これにより、非昇降部４ｂが閉塞部材７で閉塞され、床材９ｂにより踏面を形成する。
【００４６】
反対に、図２に示す右勝手の階段５を設置した昇降開口部４の非昇降部４ｂを閉塞部材７により閉塞する場合は、図示の左側に臨む横架材２（図示符号２ｂ）に対して上側から搭載係止されるようにフック金具１０、１０の姿勢を整えた状態でナット１２ｄにより固定し、横架材２ｂに搭載係止すれば良い。この際、係止金具１１は、前記と同様に、桁材６ａを横方向から掴持した状態で係止させられる。これにより、非昇降部４ｂが閉塞部材７で閉塞され、床材９ａにより踏面を形成する。
【００４７】
何れの場合も、係止金具１１は、上下片１１ｄ、１１ｄにより桁材６ａを挟持し、ボルト１６、１６の締結により桁材６ａを挟着するので、移動不能状態に固定される。尚、図例の場合、上下に一対のボルト１６、１６を設けているが、何れか一方のボルト１６だけを設けても良い。
【００４８】
非昇降部４ｂを閉塞部材７により閉塞した状態で、妻側フレーム８ａと横架材２の間の隙間は、全域ではないが、張出部１３ａ又は１３ｂにより好適に閉塞される。
【００４９】
第２実施形態の場合、閉塞部材７は、感知壁１８ａ、１８ｂを設けており、非昇降部４ｂを閉塞した状態で、一方の感知壁１８（１８ａ又は１８ｂ）を昇降開口部４に臨む側縁から起立させている。従って、作業者は、閉塞部材７を踏みつけたとき、足先が感知壁１８に触れることにより、その先が昇降開口部４であることを予知することができ、昇降開口部４に向けて転落する危険を回避することができる。
【００５０】
ところで、閉塞部材７により非昇降部４ｂを閉塞した状態で、上方に起立する感知壁１８（１８ａ又は１８ｂ）は、上述のように危険回避のために効果的に機能するが、下方に垂下する感知壁１８（１８ｂ又は１８ａ）は、下階の足場床の頭上高に干渉する障害物となる可能性がある。
【００５１】
このため、第２実施形態は、係止金具１１に上下位置変更手段１７を設け、桁材６ａに固定した係止金具１１に対して、本体８を持ち上げ方向に移動可能となるように構成している。即ち、ナット１７ｃを弛めることにより、長孔１７ｂを介して、ボルト１７ａと共に本体８を持ち上げ、その後、ナット１７ｃを締結すれば、図９に示すように、本体８から下方に垂下する感知壁１８（１８ａ又は１８ｂ）を上方に移動させた位置で固定することができ、下階の足場床の頭上高を確保できる。
【００５２】
（実施形態における相互の構成）
以上、閉塞部材７の第１実施形態と第２実施形態を説明したが、それぞれの技術的構成は、相互に結合又は組合せが可能である。例えば、図３ないし図６に示す第１実施形態に関して、第２実施形態のような感知壁１８ａ、１８ｂや上下位置変更手段１７を設けても良い。
【００５３】
特に、上述の上下位置変更手段１７は、第２実施形態のみならず第１実施形態にも設けることが好ましい。例えば、手摺体６の桁材６ａは、横架材２に取付けられた状態で、必ずしも常に同じ高さ位置とされず、該桁材６ａの外径その他に起因して、現場毎に高さ位置を相違する場合がある。この場合、閉塞部材７の係止金具１１を桁材６ａに搭載したとき、該閉塞部材７の床材９ａ（９ｂ）の床面が足場板１の床面に沿わず段差を生じるおそれがある。このため、上下位置変更手段１７を設けておけば、このような場合においても、閉塞部材７の床材９ａ（９ｂ）の床面と足場板１の床面の間に段差が生じないように、本体１１に対する係止金具１１の上下位置を調節することが可能になる。
【符号の説明】
【００５４】
１  足場板
２  横架材
３ａ、３ｂ  支柱
４  昇降開口部
４ａ  昇降部
４ｂ  非昇降部
５  階段
６  手摺体
６ａ  桁材
６ｂ  補助手摺
７  閉塞部材
８  本体
８ａ  妻側フレーム
８ｂ  桁側フレーム
８ｃ  斜交フレーム
９ａ、９ｂ  床材
１０  フック金具
１０ａ  フック
１０ｂ  ロック片
１１  係止金具
１１ａ  搭載部
１１ｂ  煽り止め部
１１ｃ  平板部
１１ｄ  上下片
１２  フック金具用姿勢変更手段
１２ａ  支軸（ボルト）
１２ｂ  ブラケット
１２ｃ  挿通孔
１２ｄ  ナット
１３ａ、１３ｂ  張出部
１４  係止金具用姿勢変更手段
１４ａ  支軸（ボルト）
１４ｂ  挿通孔
１４ｃ  ナット
１５  ナット
１６  ボルト
１７  上下位置変更手段
１７ａ  ボルト
１７ｂ  長孔
１７ｃ  ナット
１８ａ、１８ｂ  感知壁
【図１】
2015140604.tif 000003
【図２】
2015140604.tif 000004
【図３】
2015140604.tif 000005
【図４】
2015140604.tif 000006
【図５】
2015140604.tif 000007
【図６】
2015140604.tif 000008
【図７】
2015140604.tif 000009
【図８】
2015140604.tif 000010
【図９】
2015140604.tif 000011